(57)【要約】【課題】人体の静電気が所定電圧以下でなければ作業者が入室することができないドアロックシステムを提供する。【解決手段】ドアロックシステム1は、ロック装置2と除電装置3とを備えている。ロック装置2は、人体9に帯電する静電気の電圧に基づいてドアの施解錠を行うロック機構部5およびロック機構部5に施解錠信号を供給する信号発生部4を有している。除電装置3は、人体9が接触するための接触部10、人体9が接触部10に触れることにより人体9に帯電する静電気の有無もしくは大きさを表示する表示部13および人体9に帯電した静電気を放電する放電部11を有している。【選択図】図１
2010001666.tif 000002
【特許請求の範囲】
【請求項１】
人体が接触するための接触部、人体が接触部に触れることにより人体に帯電する静電気の有無もしくは大きさを表示する表示部および人体に帯電した静電気を放電する放電部を有する除電装置と、人体に帯電する静電気の電圧に基づいてドアの施解錠を行うロック機構部およびロック機構部に施解錠信号を供給する信号発生部を有するロック装置とを備えていることを特徴とするドアロックシステム。
【発明の詳細な説明】
【技術分野】
【０００１】
この発明は、ドアロックシステム、さらに詳しくは、半導体等の静電気に敏感な装置が室内に存在する場合に用いられるドアロックシステムに関する。
【背景技術】
【０００２】
半導体等の静電気に敏感な装置の作業現場等において、静電気の発生により半導体の破壊や誤作動といった問題が生じる。すなわち、製造工程、組立工程、検査工程及び出荷工程等の生産ラインの様々な工程で静電気による精密機器の破壊が起これば、生産収率に直接影響を与える。そこで、人体に静電気を帯びた状態で作業者が自由に入室することができないドアロックシステムが望まれている。
【０００３】
なお、特許文献１に、ドアロックシステムが提案されている。
【特許文献１】特開２００３−７４２２６号公報
【発明の開示】
【発明が解決しようとする課題】
【０００４】
上記特許文献１のドアロックシステムでは、人体に静電気が帯びた状態であっても、カードキーなどによりドアを解錠することができる。これにより、人体が相対的に高い電圧の静電気を帯びたままの状態でも作業者の入室が可能となり、作業者に帯電する静電気が室内の精密機器などに悪影響を及ぼすことがあり問題となる。
【０００５】
この発明の目的は、人体の静電気が所定電圧以下でなければ作業者が入室することができないドアロックシステムを提供することにある。
【課題を解決するための手段】
【０００６】
この発明によるドアロックシステムは、人体が接触するための接触部、人体が接触部に触れることにより人体に帯電する静電気の有無もしくは大きさを表示する表示部および人体に帯電した静電気を放電する放電部を有する除電装置と、人体に帯電する静電気の電圧に基づいてドアの施解錠を行うロック機構部およびロック機構部に施解錠信号を供給する信号発生部を有するロック装置とを備えていることを特徴とするものである。
【０００７】
除電装置は、据え置き型とされてもよく、壁などに埋め込む埋め込み型とされてもよい。
【０００８】
接触部は、金属プレートなどの導電性の物質で形成される。また、接触部には、人体の帯電圧を測定するための電圧測定器が備えられる。
【０００９】
放電部は、アース線が電子スイッチを介して接地されており、人体に帯電した静電気を接触部を介して放電することができるものとされる。これにより、空気中に放電するよりも、人体の確実な除電が要求される半導体製造等の現場において、より確実に静電気の除去を行うことができる。
【００１０】
電子スイッチは、人体の帯電圧測定時にはＯＦＦ状態となっており、測定結果により人体が入室不可と判定された場合にＯＮ状態となる。電子スイッチがＯＮ状態になると、放電部が放電状態となり人体の電圧が放電される。
【００１１】
表示部は、光によって除電の有無や大きさを表示する帯電表示灯と、帯電表示灯を点灯させる表示点灯回路と、人体が入室可能か否かを表示する入室許可表示灯とを備える。
【００１２】
帯電表示灯は、例えば、ＬＥＤ（Ｌｉｇｈｔ Ｅｍｉｔｔｉｎｇ Ｄｉｏｄｅ）や液晶表示パネルなどの光により静電気の有無や大きさが確認できるものとされる。視認することにより作業者の除電が行われたこと及び帯電の有無を即座に確認することができる。
【００１３】
帯電表示灯は、例えば、人体に静電気を帯びていない状態あるいは人体に帯びている静電気が低い状態（ＬＯＷ状態）であることを示すＬＥＤと、人体に帯びている静電気が高い状態（ＨＩＧＨ状態）であることを示すＬＥＤと、人体に帯びている静電気がＬＯＷ状態とＨＩＧＨ状態との中間の状態（ＭＩＤＤＬＥ状態）であることを示すＬＥＤとから構成されてもよく、これに限定されるものではない。
【００１４】
ＬＯＷ状態を感知する電位レベルは、例えば、１００Ｖ以下とされ、ＨＩＧＨ状態を感知する電位レベルは、例えば、１００Ｖ以上とされ、室内の精密機器などの装置に応じて適宜決定される。  
表示点灯回路は、人体が接触部に接触した際に、その帯電圧の電位レベルに応じて帯電表示灯を点灯させるものとされる。また、表示点灯回路は、帯電表示灯の点灯とともにブザーなどの音によって人体に帯びている静電気の状態を示すようにしてもよい。
【００１５】
入室許可表示灯は、人体が入室可能な状態（ＯＫ状態）であることを示すランプと、人体が入室不可能な状態（ＮＧ状態）であることを示すランプとから構成される。人体が入室可能である場合、ＬＯＷ状態を示すＬＥＤが点灯するとともに、ＯＫ状態であることを示すランプが点灯する。また、人体が入室不可能である場合、ＨＩＧＨ状態またはＭＩＤＤＬＥ状態を示すＬＥＤが点灯するとともに、ＮＧ状態であることを示すランプが点灯する。
【００１６】
ロック装置は、信号発生部およびロック機構部の他に、カードキーに対応する磁気読取部などを備えてもよい。
【００１７】
信号発生部は、ロック機構部に施錠あるいは解錠のいずれかに対応した向きの信号を出力し、これにより、ロック機構部を作動させる信号出力部と、除電装置からの情報によって施錠信号および解錠信号を相互に切り換える信号を信号出力部に供給する信号切換部とを備える。ドアを施錠する場合に、すでにドアが施錠状態であれば、信号発生部はロック機構部に信号を供給しなくてもドアを施錠状態に維持することができるので、ドアがすでに施錠状態である場合、信号発生部は信号をロック機構部に供給しなくてもよくまた施錠に対応した信号を供給してもよい。
【００１８】
ロック機構部は、例えば、ドアの外面もしくは内面に取り付けられてもよく、ドアに内蔵されてもよく、ドアを施解錠することができるものとされる。ロック機構部は、例えば、信号発生部から供給される信号により施解錠方向（突出及び後退方向）に動く鉄心を備えたソレノイドにより構成される。ソレノイドは、信号発生部からの信号により、鉄心を突出させてドアの施錠をあるいは鉄心を後退させてドアの解錠を行うことができる。
【００１９】
除電装置およびロック装置に供給する電源は、例えば、商用電源に対応したＡＣアダプターや太陽電池、さらにバッテリー等いずれの使用も可能である。
【００２０】
従来のドアロックシステムは、ドアが除電装置に連動して解錠されるように構成されていなかった。したがって、人体の静電気が除電装置により除去されたか否かに関わらず、カードキーなどを使用することでドアを解錠することができる。そうすると、人体が相対的に高電圧の静電気を帯びたままの状態で入室することが可能となり、この人体の静電気が室内の半導体などの精密機器を故障させる原因となる。
【００２１】
そこで、この発明のドアロックシステムのように、ドアが人体に帯電する静電気の電圧の状況に連動して解錠されるようにドアロックシステムを構成する。すなわち、除電装置によると、人体が接触部に接触したとき、接触部が人体の帯電圧を測定する。この結果、人体の帯電圧が１００Ｖ以下と判定された場合、表示部がＬＯＷ状態を示すＬＥＤを点灯させるとともにＯＫ状態を示すランプを点灯させる。それと同時に、信号発生部が、ロック機構部に解錠に対応した信号を供給する。そうすると、ドアが解錠される。
【００２２】
一方、人体の帯電圧が１００Ｖ以下でないと判定された場合、表示部がＨＩＧＨ状態を示すＬＥＤまたはＭＩＤＤＬＥ状態を示すＬＥＤを点灯させるとともに、ＮＧ状態を示すランプを点灯させる。それと同時に、自動的に放電部の電子スイッチがＯＮ状態となり人体の除電動作が行われる。除電動作の結果、人体の帯電圧が１００Ｖ以下となると、表示部がＬＯＷ状態を示すＬＥＤを点灯させるとともにＯＫ状態を示すランプを点灯させる。それと同時に、信号発生部が、ロック機構部に解錠に対応した信号を供給する。そうすると、ドアが解錠される。
【００２３】
また、人体が帯電している状態において、作業者が接触部に触れずドアを解錠しようとしても、ドアロックシステムに備えられた除電装置により静電気を放電させる以外にドアを解錠することができないので、人体に静電気を帯びたまま作業者が入室することが防止される。
【発明の効果】
【００２４】
この発明のドアロックシステムによると、ドアロックシステムに備えられた除電装置により人体の静電気が所定電圧以下と判定されなければ、作業者がドアを解錠することができないので、人体に比較的高い電圧の静電気を帯びたままの状態で作業者が入室することを防止することができる。
【発明を実施するための最良の形態】
【００２５】
以下、図面を参照して、この発明の実施形態について説明する。
【００２６】
図１は、この発明によるドアロックシステムの全体構成の一例を示している。  
この発明によるドアロックシステム(1)は、ロック装置(2)と除電装置(3)とを備えている。
【００２７】
ロック装置(2)は、施解錠信号を供給するための信号発生部(4)と、信号発生部(4)からの信号によりドアを施解錠するロック機構部(5)とを備えている。同図にロック装置(2)と除電装置(3)に電力を供給する電源(6)が示されている。また、同図に回路配線が二点鎖線で示されている。
【００２８】
信号発生部(4)は、ドアの外面に取り付けられたロック機構部(5)に施錠あるいは解錠のいずれかに対応した向きの信号を出力し、これにより、ロック機構部(5)を作動させる信号出力部(4a)と、除電装置(3)からの情報によって施錠信号および解錠信号を相互に切り換える信号を信号出力部(4a)に供給する信号切換部(4b)とを備えている。
【００２９】
ロック機構部(5)は、信号発生部(4)からの信号により施解錠方向（突出及び後退方向）に動かされる鉄心(7)を備えたソレノイド (8)で構成されている。ソレノイド (8)の鉄心(7)が後退方向に動かされるとドアは解錠され、ソレノイド (8)の鉄心(7)が突出方向に動かされるとドアは施錠される。
【００３０】
除電装置(3)は、人体(9)が接触するための接触部(10)と、人体(9)が接触部(10)に触れることにより人体(9)に帯びている静電気が放電される放電部(11)と、人体(9)に帯電する静電気の有無および大きさを確認することができる表示部(13)とから構成されている。除電装置(3)は、壁に埋め込まれて取り付けられている。
【００３１】
接触部(10)は、導電性の金属プレートが用いられており、人体(9)がこの接触部(10)に接触すると接触部(10)が帯電するものとされている。また、接触部(10)には、人体(9)の帯電圧を測定するための電圧測定器(12)が備えられている。
【００３２】
放電部(11)には、アース線(15)が電子スイッチを介して接地されている。人体(9)が接触部(10)に接触すると、人体(9)に帯びている静電気が接触部(10)を介して放電部(11)により放電される。
【００３３】
電子スイッチは、人体(9)の帯電圧測定時にはＯＦＦ状態となっており、測定結果により人体(9)が入室不可と判定された場合、自動的にＯＮ状態となる。電子スイッチがＯＮ状態になると、放電部(11)が放電状態となり人体(9)の静電気が放電される。人体(9)の帯電圧測定時から人体(9)の静電気が放電されるまでの間は、長くても約５秒間とされている。
【００３４】
図２に、表示部(13)が示されており、表示部(13)は、３つの帯電表示灯(16)と表示点灯回路(17)と２つの入室許可表示灯(18)とを備えている。同図（ａ）は、３つの帯電表示灯(16)と表示点灯回路(17)とを示しており、同図（ｂ）は、入室許可表示灯(18)を示している。
【００３５】
帯電表示灯(16)は、人体(9)に帯びている静電気が低い状態（ＬＯＷ状態）であることを示すＬＥＤ（Ｌｉｇｈｔ Ｅｍｉｔｔｉｎｇ Ｄｉｏｄｅ）(16a)と、人体(9)に帯びている静電気が高い状態（ＨＩＧＨ状態）であることを示すＬＥＤ(16b)と、人体(9)に帯びている静電気がＬＯＷ状態とＨＩＧＨ状態との中間の状態（ＭＩＤＤＬＥ状態）であることを示すＬＥＤ(16c)とから構成されている。
【００３６】
表示点灯回路(17)は、人体(9)の帯電状態に対応するいずれかのＬＥＤ(16a)(16b)(16c)を点灯させるものである。すなわち、人体(9)が接触部(10)に触れた際、人体(9)に帯電している静電気が非常に低い場合あるいは人体(9)に静電気が帯電していない場合、ＬＯＷ状態を示すＬＥＤ(16a)が点灯する。また、人体(9)が接触部(10)に触れた際、人体(9)に帯電している静電気が高い場合、ＨＩＧＨ状態を示すＬＥＤ(16b)が点灯する。これにより、人体(9)に帯びている静電気の有無および大きさが確認できる。
【００３７】
入室許可表示灯(18)は、作業者が入室可能か否かを表示するものであり、人体(9)が入室可能な状態（ＯＫ状態）であることを示すランプ(18a)と、作業者が入室不可能な状態（ＮＧ状態）であることを示すランプ(18b)とから構成されている。作業者が入室可能である場合、ＬＯＷ状態を示すＬＥＤ(16a)が点灯するとともに、ＯＫ状態であることを示すランプ(18a)が点灯する。また、作業者が入室不可能である場合、ＨＩＧＨ状態またはＭＩＤＤＬＥ状態を示すＬＥＤ(16b)(16c)が点灯するとともに、ＮＧ状態であることを示すランプ(18b)が点灯する。
【００３８】
図３に示すように、除電装置(3)によると、人体(9)が接触部(10)に接触することにより、接触部(10)が人体(9)の帯電圧を測定し、その帯電圧が１００Ｖ以下でないと判定された場合、その結果を表示部(13)に出力する。初期状態では、表示部(13)は、ＨＩＧＨ状態を表示する。放電が開始されて放電量が時間とともに増加するのに伴って人体(9)に帯びている静電気がある程度減少すると、表示部(13)は、ＭＩＤＤＬＥ状態を表示し、放電がさらに進んで人体(9)に帯びている静電気が所定量を下回る（帯電量がＬＯＷレベルになる）と、表示部(13)は、ＬＯＷ状態を表示する。この結果、初期状態でＨＩＧＨ状態表示ＬＥＤ(16b)側にあったリレー（実線で示す）(13a)は、二点鎖線で示すリレー(13b)のようにＬＯＷ状態表示ＬＥＤ(16a)側に切り換えられる。また、人体(9)の帯電圧が１００Ｖ以下と判定された場合、除電動作を経ずに、初期状態でＨＩＧＨ状態表示ＬＥＤ(16b)側にあったリレー（実線で示す）(13a)は、二点鎖線で示すリレー(13b)のようにＬＯＷ状態表示ＬＥＤ(16a)側に切り換えられる。
【００３９】
一方、ロック装置(2)では、通常、信号発生部(4)の信号出力部(4a)から、施錠信号がロック機構部(5)に出力されており、信号切換部(4b)から切換信号が信号出力部(4a)に入力された場合に、解錠信号がロック機構部(5)に出力される。信号切換部(4b)は、除電装置(3)の表示部(13)のＬＯＷ状態を表示する部分と接続されており、ＨＩＧＨ状態表示ＬＥＤ(16b)側にあったリレー(13a)がＬＯＷ状態表示ＬＥＤ(16a)側に切り換えられると、この操作に伴って、施錠から解錠への切換信号を信号出力部(4a)に出力する。したがって、放電が進んで人体(9)に帯びている静電気が所定量を下回る場合や人体(9)に静電気が帯電していない場合、ＬＯＷ状態表示ＬＥＤ(16a)が点灯するとともに、図３に破線で示すＬＯＷ状態表示ＬＥＤ(16a)、信号切換部(4b)、信号出力部(4a)、解錠信号およびロック機構部(5)のルートにより、ロック機構部(5)が解錠される。
【００４０】
図４に、ドアロックシステム(1)の動作のフローチャートが示されている。
【００４１】
ドアロックシステム(1)の電源がオンにされると、ドアロックシステム(1)が作動し（Ｓ１）、初期状態として、ドアが施錠状態とされて、入室不許可表示が表示される（Ｓ２）とともに、除電装置(3)が作動して（Ｓ３）、その表示部(13)に除電未実施を示すＨＩＧＨ状態が表示される（Ｓ４）。人体(9)が接触部(10)に接触すると（Ｓ５）、人体の帯電圧が測定される（Ｓ６）。人体の帯電圧が１００Ｖ以下であると判定されると（Ｓ７）、ＬＯＷ状態を示すＬＥＤ(16a)が点灯し、これに伴い入室許可を示すランプ(18a)が点灯するとともに、ドアが解錠状態となり（Ｓ８）、作業者が入室することが可能となる（Ｓ９）。ここで、人体の帯電圧が１００Ｖ以下でないと判定された場合、人体の帯電圧が１００Ｖ以下になるまで施錠状態が継続され、除電動作が行われる（Ｓ１０）。除電が行われて人体の帯電圧が１００Ｖ以下になると（Ｓ１１）、ＬＯＷ状態を示すＬＥＤ(16a)が点灯し、これに伴い入室許可を示すランプ(18a)が点灯するとともに、ドアが解錠状態となる（Ｓ８）。作業者が入室すると（Ｓ９）、ドアが再び施錠され（Ｓ１２）、次の入室者を待つ状態であるステップ（Ｓ４）に戻る。
【００４２】
こうして、人体の静電気が１００Ｖ以下の場合に限りドアを解錠することができるので、相対的に高い電圧の静電気を人体(9)に帯びたまま、作業者が入室することを防止することができる。
【図面の簡単な説明】
【００４３】
【図１】図１は、この発明によるドアロックシステムの全体構成を示す概念図である。
【図２】図２は、除電装置に備えられる表示部を示す概略図である。
【図３】図３は、この発明のドアロックシステムの動作を示すブロック図である。
【図４】図４は、この発明のドアロックシステムの動作を示すフローチャートである。
【符号の説明】
【００４４】
(1)           ドアロックシステム
(2)           ロック装置
(3)           除電装置
(4)           信号発生部
(5)           ロック機構部
(9)           人体
(10)         接触部
(11)         放電部
(13)         表示部
【図１】
2010001666.tif 000003
【図２】
2010001666.tif 000004
【図３】
2010001666.tif 000005
【図４】
2010001666.tif 000006